(57)【要約】      （修正有）【課題】風の吹出角度を広げることができ、衣類や布団の感熱範囲を拡大させることにより、急速な乾燥を達成できる布団送風ノズルと組立式乾燥機を提供する。【解決手段】乾燥機の布団送風ノズルは、接続ヘッド３１と乾燥機本体１に取外し可能に接続される接続管３２を含み、接続ヘッドの下端と接続管の上端とが係接固定され、接続ヘッドの上端をＶ字状の送風口３１１として、接続ヘッドの左右両側面にそれぞれ送風穴３１２が設けられている。また、組立式乾燥機は、加熱機能を有する本体と送風ノズルユニットが備えられ、本体の表面に本体送風口、本体吸風口１２及び制御スイッチが設けられ、送風ノズルユニットが本体送風口に取外し可能に固定され、送風ノズルユニットは衣類送風ノズルと布団送風ノズルを含み、衣物送風ノズルには回転的に調整可能な風向翼が配置される。【選択図】図３
0003223019.tif 000002
【実用新案登録請求の範囲】
【請求項１】
乾燥機の布団送風ノズルであって、接続ヘッドと乾燥機本体に取外し可能に接続される接
続管を含み、前記接続ヘッドの下端と接続管の上端とが係接固定され、前記接続ヘッドの
上端はＶ字状の送風口となっており、前記接続ヘッドの左右両側面にそれぞれ送風穴が設
けられている、ことを特徴とする乾燥機の布団送風ノズル。
【請求項２】
前記接続管の上端に環形バックルが設けられ、且つ環形欠け口が設けられており、前記接
続ヘッドの内部に環形係り溝が設けられており、前記接続ヘッドは環形バックルと環形係
り溝によって接続管に係接固定される、ことを特徴とする請求項1に記載の乾燥機の布団
送風ノズル。
【請求項３】
前記Ｖ字状の送風口に傾斜角度の異なる複数のＶ字状の風向板が設けられており、前記送
風孔は、複数のＶ字状の送風孔を含んでいる、ことを特徴とする請求項1に記載の乾燥機
の布団送風ノズル。
【請求項４】
組立式乾燥機であって、加熱機能を有する本体と送風ノズルユニットが備えられており、
前記本体の表面に本体送風口、本体吸風口及び制御スイッチが設けられ、前記送風ノズル
ユニットが本体送風口に取外し可能に固定されており、前記送風ノズルユニットは衣類送
風ノズルと布団送風ノズルを含み、該衣物送風ノズルに回転を調整可能な風向翼が配置さ
れている、ことを特徴とする組立式乾燥機。
【請求項５】
衣物送風ノズルは接続リング、風ダクト、支持フレーム、風向翼、クノッブ及び支持柱を
備えており、前記風ダクトの吸風口が接続リングの上端に係接固定され、前記接続リング
の下端が本体送風口に係接固定され、前記支持フレームが風ダクトの送風口に係接固定さ
れ、前記支持フレームの中心に固定穴が設けられ、前記風向翼の中心が支持柱に回転可能
に挿入されて接続するとともに支持柱を回転することができ、前記支持柱の一端が風向翼
を穿通して固定穴に螺合し、前記クノッブが支持柱の他端に螺合して固定される、ことを
特徴とする請求項４に記載の組立式乾燥機。
【請求項６】
接続リング内に複数の弧状翼片が設けられており、該弧状翼片は傾斜角度を有し、該傾斜
角のガイド方向は風向翼の翼板のガイド方向と同一にさせる、ことを特徴とする請求項５
に記載の組立式乾燥機。
【請求項７】
風向翼の翼板の傾斜角度は弧状翼片の傾斜角度より大きくさせる、ことを特徴とする請求
項６に記載の組立式乾燥機。
【請求項８】
風向翼の中央にさらに円形溝が設けられ、前記クノッブの一端が円形溝内に配置される、
ことを特徴とする請求項６に記載の組立式乾燥機。
【請求項９】
本体内にファンが固定的に設置され、ファンと本体送風口間の風ダクトに加熱器が設けら
れ、本体内に給電用の電源装置が設けられ、前記ファン及び加熱器はそれぞれ制御スイッ
チと電源装置に電気的に接続する、ことを特徴とする請求項４に記載の組立式乾燥機。
【請求項１０】
温度制御器を含んでおり、該温度制御器はそれぞれ加熱器と電源装置に電気的に接続し、
前記本体の表面に電源線が接続され、前記電源線の一端が電源装置に電気的に接続され、
その他端にプラグが設けられている、ことを特徴とする請求項９に記載の組立式乾燥機。
【考案の詳細な説明】
【技術分野】
【０００１】
本実用新案は、乾燥器分野に関し、特に組立式乾燥機及び布団送風ノズル構造に関する。
【背景技術】
【０００２】
様々な家庭用電気製品は、生活の質に対する期待が高くなるうちに、ますます人々の愛顧
を受けている。特に、布団乾燥機が主婦の手伝いとなってくる。しかし、既存の布団乾燥
機は、布団の間に布団乾燥袋を敷いて、布団乾燥機から送る熱風が、布団乾燥袋の表面を
通して布団に吹きつけるような操作が多く、乾燥作業が終わった後、乾燥袋を回収する必
要があるので、操作が面倒で、時間の無駄になる。特に老人や子供にとっては、より難し
い。なお、従来のほとんどの布団乾燥機は単一方向の送風口としている。複数の方向で送
風するものがあっても、ユーザのニーズに応じて送風範囲を調整することができない。ま
た、家庭用電気製品として多くの布団乾燥機はそのホースなどを箱に収納する必要がある
ため、本体サイズが大きくなり、取り扱いが面倒である。
【考案の概要】
【０００３】
上記問題を解決するために、本実用新案は衣類や布団乾燥用の送風ノズル構造付き乾燥器
を提供しており、直接に布団の乾燥に実施でき、布団により風口が塞がれるなどで風が出
ないという不都合はなくなる。
【０００４】
本実用新案は、下記の技術方案を採用する。乾燥機の布団送風ノズルは、接続ヘッドと乾
燥機本体に取外し可能に接続される接続管を含み、上記接続ヘッドの下端と接続管の上端
とが係接固定され、上記接続ヘッドの上端がＶ字状の送風口としており、上記接続ヘッド
の左右両側面にそれぞれ送風穴が設けられている。
【０００５】
上記接続管の上端に環形バックルが設けられ、且つ環形欠け口が設けられており、上記接
続ヘッドの内部に環形係り溝が設けられており、上記接続ヘッドは環形バックルと環形係
り溝によって接続管に係接固定される。
【０００６】
上記Ｖ字状の送風口に傾斜角度の異なる複数のＶ字状の風向板が設けられており、上記送
風孔は、複数のＶ字状の送風孔を含んでいる。
【０００７】
また、実用新案は、組立式乾燥機を提供する。該乾燥機において、加熱機能を有する本体
と送風ノズルユニットが備えられており、上記本体の表面に本体送風口、本体吸風口及び
制御スイッチが設けられ、上記送風ノズルユニットが本体送風口に取外し可能に固定され
ている。上記送風ノズルユニットは衣類送風ノズルと布団送風ノズルを含み、該衣物送風
ノズルに回転的に調整可能な風向翼が配置されている。
【０００８】
衣物送風ノズルは接続リング、風ダクト、支持フレーム、風向翼、クノッブ及び支持柱を
備えている。上記風ダクトの吸風口が接続リングの上端に係接固定され、上記接続リング
の下端が本体送風口に係接固定され、上記支持フレームが風ダクトの送風口に係接固定さ
れ、上記支持フレームの中心に固定穴が設けられ、上記風向翼の中心が支持柱に回転可能
に挿入されて接続するとともに支持柱を回って回転することができる。上記支持柱の一端
が風向翼を穿通して固定穴に螺合する。上記クノッブが支持柱の他端に螺合して固定され
る。
【０００９】
接続リング内に複数の弧状翼片が設けられている。該弧状翼片は傾斜角度を有し、該傾斜
角のガイド方向は風向翼の翼板のガイド方向と同一にさせる。
【００１０】
風向翼の翼板の傾斜角度は弧状翼片の傾斜角度より大きくさせる。
【００１１】
風向翼の中央にさらに円形溝が設けられ、上記クノッブの一端が円形溝内に配置される。
本体内にファンが固定的に設置され、ファンと本体送風口間の風ダクトに加熱器が設けら
れ、また、本体内に給電用の電源装置が設けられ、上記ファン及び加熱器はそれぞれ制御
スイッチと電源装置に電気的に接続する。
【００１２】
温度制御器を含んでおり、該温度制御器はそれぞれ加熱器と電源装置に電気的に接続し、
過温度保護作用を持つ。さらに上記本体の表面に電源線が接続され、上記電源線の一端が
電源装置に電気的に接続され、その他端にプラグが設けられている。
【００１３】
本実用新案の効果は、組立式乾燥機は、衣類送風ノズルと布団送風ノズルを含み、ユーザ
のニーズによって異なる送風ノズルを交換して使用することができ、そして、送風ノズル
ユニットを取り除いて、ヒーター設備として使用することもできる。使用が便利で、多機
能で、応用範囲が広く、実用性が強い。
【００１４】
接続リング内に若干の弧状翼片が設けられている。該弧状翼片は傾斜角度を有し、該傾斜
角のガイド方向は風向翼の翼板のガイド方向と同じくさせることにより、旋風の方向を同
じであることを保証し、また、風向翼の翼板の傾斜角度は弧状翼片の傾斜角度より大きく
させることにより、風をより柔らかくするだけでなく、吹出角度を広げることができる。
乾燥しようとする衣類の感熱範囲を拡大させることにより、急速な乾燥の目的を達成する
。
【００１５】
布団送風ノズルはＶ字状の送風口のデザインとされる場合、Ｖ字状の送風口が布団に覆わ
れてしまうと、Ｖ字状の送風口内における凹の位置は布団に覆われることにより塞がれる
ことがないので、Ｖ字状の送風口と布団の間に送風空間が残られていることを保証でき、
布団により送風口が塞がれることにより風が出なくなったり風量が小さくなったりするこ
とがない。布団送風口の両側面に送風穴が開設されることによって、熱風が側面から吹き
出されて布団の乾燥を加速でき、時間を短縮することができる。このうち、Ｖ字状の風向
板が異なる傾斜角度にされており、これにより布団送風ノズルは複数の方向に風を送るこ
とができる。
【図面の簡単な説明】
【００１６】
【図１】本実用新案にかかる立体構造図である。
【図２】本実用新案にかかる組立図である。
【図３】本実用新案にかかる他の組立図である。
【図４】本実用新案にかかる本体の構造を示すである。
【図５】本実用新案にかかる衣類送風ノズルの分解図である。
【図６】本実用新案にかかる布団送風ノズルの構造を示す図である。
【図７】本実用新案にかかる布団送風ノズルの接続ヘッドの立体図である。
【図８】本実用新案にかかる布団送風ノズルの接続ヘッドの側面図である。
【図９】本実用新案にかかる布団送風ノズルの接続ヘッドの断面図である。符号の説明：本体  １本体送風口  １１本体吸風口  １２制御スイッチ  １３支持脚  １４衣物送風ノズル  ２接続リング  ２１弧状翼片  ２１１風ダクト  ２２フレーム  ２３固定穴  ２３１風向翼  ２４クノッブ  ２５支持柱  ２６布団送風ノズル  ３接続ヘッド  ３１Ｖ字状の送風口  ３１１送風孔  ３１２風向板  ３１３接続ヘッド  ３１接続管  ３２環形欠け口  ３２２環形バックル  ３２１
【考案を実施するための形態】
【００１７】
以下、図面とともに実施形態についてさらに説明し、本実用新案は多数の異なる方式によ
り、実現でき、実施例に限定されるものではない。本実用新案の説明において、理解が必
要なのは、「上」、「下」、、「右」、「左」などの方向は図面のとおりの位置や位置関
係に基づいており、本実用新案の説明を簡便にするためである。
【００１８】
図１〜４に示すように、本実用新案は組立式乾燥機を提供する。該乾燥機においては、加
熱機能を有する本体１と送風ノズルユニットが備えられており、上記本体１の表面に本体
送風口１１、本体吸風口１２及び制御スイッチ１３が設けられ、上記送風ノズルユニット
が本体送風口１１に取外し可能に固定されている。上記送風ノズルユニットは衣類送風ノ
ズル２と布団送風ノズル３を含み、該衣物送風ノズル２に回転的に調整可能な風向翼２４
が配置されている。
【００１９】
従来の技術と比べて、本考案は、ユーザのニーズによって異なる送風ノズルを交換して使
用することができ、そして、送風ノズルユニットを取り除いて、ヒーター設備として使用
することもできる。使用が便利で、多機能で、応用範囲が広く、実用性が強い。
【００２０】
図５に示すように、本実施例の衣物送風ノズル２は接続リング２１、風ダクト２２、支持
フレーム２３、風向翼２４、クノッブ２５及び支持柱２６を備えている。上記風ダクト２
２の吸風口が接続リング２１の上端に係接固定され、上記接続リング２１の下端が本体送
風口１１に係接固定され、上記支持フレーム２３が風ダクト２２の送風口に係接固定され
、上記支持フレーム２３の中心に固定穴２３１が設けられ、上記風向翼２４の中心が支持
柱２６に回転可能に挿入されて接続するとともに支持柱２６を回って回転することができ
る。上記支持柱２６の一端が風向翼２４を穿通して固定穴２３１に螺合する。上記クノッ
ブ２５が支持柱２６の他端に螺合して固定される。使用際に、クノッブ２５を締めること
により、風向翼２４の回動角度を固定して、風向翼２４を任意の角度に止めることができ
る。一方、クノッブ２５を緩むことにより、風向翼２４が風により動かされることにして
、自動的回転が実現される。これによって、異なるニーズに合致することができる。
【００２１】
さらに接続リング２１内に若干の弧状翼片２１１が設けられている。該弧状翼片２１１は
傾斜角度を有し、該傾斜角のガイド方向は風向翼２４の翼板のガイド方向と同じくさせる
ことにより、旋風の方向を同じであることを保証し、また、風向翼２４の翼板の傾斜角度
は弧状翼片２１１の傾斜角度より大きくさせることにより、風をより柔らかくするだけで
なく、吹出角度を広げることができる。風向翼２４の中央にさらに円形溝２４１が設けら
れ、上記クノッブ２５の一端が円形溝２４１内に配置されることにより、風向翼２４の外
観をより美しくさせる。
【００２２】
図６〜９に示すように、本実施例の布団送風ノズル３は接続ヘッド３１と乾燥機本体１に
取外し可能に接続される接続管３２を含み、上記接続ヘッド３１の下端と接続管３２の上
端とが係接固定され、上記接続ヘッド３１の上端がＶ字状の送風口３１１としており、上
記接続ヘッド３１の左右両側面にそれぞれ送風穴３１２が設けられている。布団送風ノズ
ル３はＶ字状の送風口３１１のデザインとされる場合、Ｖ字状の送風口３１１が布団に覆
われてしまうと、Ｖ字状の送風口３１１内における凹の位置は布団に覆われることにより
塞がれることがないので、Ｖ字状の送風口３１１と布団の間に送風空間が残られているこ
とを保証でき、布団により送風口が塞がれることにより風が出なくなったり風量が小さく
なったりすることがない。布団送風口３の両側面に送風穴３１２が開設されることによっ
て、熱風が側面から吹き出されて布団の乾燥を加速でき、時間を短縮することができる。
【００２３】
上記接続管３２の上端に環形バックル３２１が設けられ、且つ環形欠け口３２２が残られ
ている。上記接続ヘッド３１の内部に環形係り溝（図示せず）が設けられている。上記接
続ヘッド３１は環形バックル３２１と環形係り溝によって接続管３２に係接固定される。
組み立てる時には、布団送風口３の接続ヘッド３１の環形係り溝を環形欠け口３２２に合
わせて挿入させて、そして、環形バックル３２１を環形係り溝内まで回動させると、係接
固定が可能となる。これに対してリバース操作をすると取外しが可能となる。このように
、操作が簡単で便利である。
【００２４】
さらに、上記Ｖ字状の送風口３１１に傾斜角度の異なる若干のＶ字状の風向板３１３が設
けられており、上記送風孔３１２は、若干のＶ字状の送風孔３１２を含んでいる。Ｖ字状
の送風口３１１と送風孔３１２が布団に覆われて塞がれず、より均一的に送風されること
を保証する。このうち、Ｖ字状の風向板３１３が異なる傾斜角度にされており、これによ
り布団送風ノズル３は複数の方向に風を送ることができる。
【００２５】
本実施例では、本体１内にファン（図示せず）が固定的に設置され、ファンと本体送風口
１２間の風ダクトに加熱器（図示せず）が設けられ、また、本体１内に給電用の電源装置
（図示せず）が設けられ、上記ファン及び加熱器はそれぞれ制御スイッチ１３と電源装置
に電気的に接続し、ファンから吹き出す風が加熱器を通して温風に変わって、本体送風口
１１から吹き出すことによって、乾燥機の加熱機能を実現する。なお、温度制御器（図示
せず）を含んでおり、該温度制御器はそれぞれ加熱器と電源装置に電気的に接続し、過温
度保護作用を持つ。さらに上記本体１の表面に電源線（図示せず）が接続され、上記電源
線の一端が電源装置に電気的に接続され、その他端にプラグが設けられおり、市電に接続
使用でき、電源装置を充電することもできる。さらに本体送風口１１内に安全網が設置さ
れており、使用の安全性を向上させる。なお、本実施例における電源装置は、充電用リチ
ウム電池または蓄電池であってもよく、ファン、加熱器、電源装置、温度制御器は、本体
１に螺合固定されても良いし、係合接続されても良く、ここでは限定されない。
【００２６】
より良いユーザ体験をもたらすために、さらに本体１の側面に支持脚１４を設けても良い
。ヒーターとして使用される場合には、本体１の側面を床に置いて、支持脚１４によって
それを支持する。このとき、本体１の上端にあった本体送風口１１が側面に位置して、側
面から暖かい風を吹き出し、暖めることが可能となる。
【００２７】
さらに、本実施形態に記載した電源装置、電源線、ヒーター、ファン、温度制御器等は、
市場で販売されるものとされるが、従来の技術に属するので、その詳しい説明は省略する
。なお、明確な規定や限定がない限り、用語「接続」、「固定」、「係接」などは広義的
に理解されるべきものであり、当業者にとって、上記用語は本実用新案における具体のな
意味が、具体のな状況に応じて理解され得る。
【００２８】
上記の実施例は本実用新案の技術方案の説明のためにのみ用いられ制限するために用いら
れるものではなく、優れた実施例を用いて実用新案を詳細に説明したが、当業者は、本実
用新案の技術方案の修正または置換は本実用新案の技術方案の趣旨と範囲を逸脱しない範
囲において、これらは全て本実用新案の権利範囲に属することを理解すべきである。
【図１】
0003223019.tif 000003
【図２】
0003223019.tif 000004
【図３】
0003223019.tif 000005
【図４】
0003223019.tif 000006
【図５】
0003223019.tif 000007
【図６】
0003223019.tif 000008
【図７】
0003223019.tif 000009
【図８】
0003223019.tif 000010
【図９】
0003223019.tif 000011
【手続補正書】
【提出日】令和1年7月9日(2019.7.9)
【手続補正１】
【補正対象書類名】実用新案登録請求の範囲
【補正対象項目名】全文
【補正方法】変更
【補正の内容】
【実用新案登録請求の範囲】
【請求項１】
乾燥機の布団送風ノズルであって、接続ヘッドと乾燥機本体に取外し可能に接続される接
続管を含み、前記接続ヘッドの下端と接続管の上端とが係接固定され、前記接続ヘッドの
上端はＶ字状の送風口となっており、前記接続ヘッドの左右両側面にそれぞれ送風穴が設
けられている、ことを特徴とする乾燥機の布団送風ノズル。
【請求項２】
前記接続管の上端に環形バックルが設けられ、且つ環形欠け口が設けられており、前記接
続ヘッドの内部に環形係り溝が設けられており、前記接続ヘッドは環形バックルと環形係
り溝によって接続管に係接固定される、ことを特徴とする請求項1に記載の乾燥機の布団
送風ノズル。
【請求項３】
前記Ｖ字状の送風口に傾斜角度の異なる複数のＶ字状の風向板が設けられており、前記送
風孔は、複数のＶ字状の送風孔を含んでいる、ことを特徴とする請求項1に記載の乾燥機
の布団送風ノズル。
【請求項４】
組立式乾燥機であって、加熱機能を有する本体と送風ノズルユニットが備えられており、
前記本体の表面に本体送風口、本体吸風口及び制御スイッチが設けられ、前記送風ノズル
ユニットが本体送風口に取外し可能に固定されており、前記送風ノズルユニットは衣類送
風ノズルと請求項1に記載の乾燥機の布団送風ノズルを含み、該衣物送風ノズルに回転を
調整可能な風向翼が配置されている、ことを特徴とする組立式乾燥機。
【請求項５】
衣物送風ノズルは接続リング、風ダクト、支持フレーム、風向翼、クノッブ及び支持柱を
備えており、前記風ダクトの吸風口が接続リングの上端に係接固定され、前記接続リング
の下端が本体送風口に係接固定され、前記支持フレームが風ダクトの送風口に係接固定さ
れ、前記支持フレームの中心に固定穴が設けられ、前記風向翼の中心が支持柱に回転可能
に挿入されて接続するとともに支持柱を回転することができ、前記支持柱の一端が風向翼
を穿通して固定穴に螺合し、前記クノッブが支持柱の他端に螺合して固定される、ことを
特徴とする請求項４に記載の組立式乾燥機。
【請求項６】
接続リング内に複数の弧状翼片が設けられており、該弧状翼片は傾斜角度を有し、該傾斜
角のガイド方向は風向翼の翼板のガイド方向と同一にさせる、ことを特徴とする請求項５
に記載の組立式乾燥機。
【請求項７】
風向翼の翼板の傾斜角度は弧状翼片の傾斜角度より大きくさせる、ことを特徴とする請求
項６に記載の組立式乾燥機。
【請求項８】
風向翼の中央にさらに円形溝が設けられ、前記クノッブの一端が円形溝内に配置される、
ことを特徴とする請求項６に記載の組立式乾燥機。
【請求項９】
本体内にファンが固定的に設置され、ファンと本体送風口間の風ダクトに加熱器が設けら
れ、本体内に給電用の電源装置が設けられ、前記ファン及び加熱器はそれぞれ制御スイッ
チと電源装置に電気的に接続する、ことを特徴とする請求項４に記載の組立式乾燥機。
【請求項１０】
温度制御器を含んでおり、該温度制御器はそれぞれ加熱器と電源装置に電気的に接続し、
前記本体の表面に電源線が接続され、前記電源線の一端が電源装置に電気的に接続され、
その他端にプラグが設けられている、ことを特徴とする請求項９に記載の組立式乾燥機。